【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
吸収性本体と、該吸収性本体の非肌当接面側に配されて該吸収性本体を固定している外装体とを備え、且つ前身頃における該外装体の左右両側縁部と後身頃における該外装体の左右両側縁部とが接合されて一対のサイドシール部、ウエスト開口部及び一対のレッグ開口部が形成されているパンツ型使い捨ておむつであって、
前記サイドシール部は、前記おむつの着用時において目視による視認性が低く、該サイドシール部の目視による視認性を高め得るサイドシール部視認性向上手段を該サイドシール部の近傍に具備しており、
前記サイドシール部の外縁が、前記外装体の内方に向かって凸の弧状をなし、且つ該外縁を含んでそれよりも該外装体の内方に、該外装体を構成する複数のシートどうしの融着部が形成されているパンツ型使い捨ておむつ。
【請求項２】
前記サイドシール部は、前記おむつの着用時において該サイドシール部の周辺部よりもおむつ外方に突出していない請求項１記載のパンツ型使い捨ておむつ。
【請求項３】
前記サイドシール部視認性向上手段は、前記ウエスト開口部の開口端部又はその近傍に位置している請求項１又は２記載のパンツ型使い捨ておむつ。
【請求項４】
前記サイドシール部の近傍で且つ前記ウエスト開口部の開口端部又はその近傍に、前記前身頃における前記外装体及び前記後身頃における該外装体を厚み方向に接合する接合部が形成されていると共に、該サイドシール部における該ウエスト開口部の開口端部を形成する部分が、前記おむつの着用時においてその周辺部よりも外方に突出して突出部を形成しており、該突出部が前記サイドシール部視認性向上手段として機能する請求項１〜３の何れか一項に記載のパンツ型使い捨ておむつ。
【請求項５】
前記ウエスト開口部の開口端部を形成する、前記前身頃における前記外装体の端縁と前記後身頃における該外装体の端縁とは、前記おむつの上下方向においてズレており、前記サイドシール部の上方に、そのズレに起因する両端縁間の段差が生じており、該段差が前記サイドシール部視認性向上手段として機能する請求項１〜４の何れか一項に記載のパンツ型使い捨ておむつ。
【請求項６】
前記前身頃における前記外装体の外面で且つ前記サイドシール部の近傍、又は前記後身頃における該外装体の外面で且つ該サイドシール部の近傍に、目視により認識可能なマークが形成されており、該マークが前記サイドシール部視認性向上手段として機能する請求項１〜５の何れか一項に記載のパンツ型使い捨ておむつ。
【請求項７】
請求項１〜６の何れか一項に記載のパンツ型使い捨ておむつの製造方法であって、
帯状の前記外装体に前記吸収性本体を固定する本体固定工程と、
前記吸収性本体が固定された帯状の前記外装体の前身頃側と後身頃側とを重ね合わせ、重ね合わされた該外装体におけるサイドシール部の形成予定部位を加圧状態にする重合加圧工程と、
加圧状態にある前記サイドシール部の形成予定部位を分断するのと同時に、その分断によって生じた加圧状態にある複数枚の前記外装体の切断縁部どうしを融着させて前記サイドシール部を形成するサイドシール部形成工程と、を有し、
前記本体固定工程の終了後から前記サイドシール部形成工程の終了前までに、前記外装体に前記サイドシール部視認性向上手段を付与する、パンツ型使い捨ておむつの製造方法。
【請求項８】
前記サイドシール部形成工程における前記外装体の分断を、熱源を用いて該外装体を溶融することにより実施する請求項７記載のパンツ型使い捨ておむつの製造方法。
【請求項９】
前記熱源を用いた前記外装体の溶融は、該外装体へのレーザー光の照射、該外装体の加熱圧着、又は該外装体への超音波振動の付与により実施される請求項８記載のパンツ型使い捨ておむつの製造方法。
【請求項１０】
請求項４記載のパンツ型使い捨ておむつを製造する場合において、
前記サイドシール部形成工程における前記外装体の分断及び前記接合部の形成を、熱源を用いて該外装体を溶融することにより実施し、該接合部の形成により前記おむつの着用時における前記突出部の形成を可能にする請求項７〜９の何れか一項に記載のパンツ型使い捨ておむつの製造方法。
【請求項１１】
請求項５記載のパンツ型使い捨ておむつを製造する場合において、
前記重合加圧工程において前記外装体の前身頃側と後身頃側とを重ね合わせるときに、該外装体の長手方向に沿う両端縁どうしを一致させずに意図的にずらす請求項７〜９の何れか一項に記載のパンツ型使い捨ておむつの製造方法。
【請求項１２】
請求項６記載のパンツ型使い捨ておむつを製造する場合において、
前記重合加圧工程において前記外装体の前身頃側と後身頃側とを重ね合わせる前に、該外装体の所定箇所にエンボス加工又は印刷により前記マークを形成する請求項７〜９の何れか一項に記載のパンツ型使い捨ておむつの製造方法。
【手続補正２】
【補正対象書類名】明細書
【補正対象項目名】００８７
【補正方法】変更
【補正の内容】
【００８７】
＜２６＞
前記サイドシール部形成工程における前記外装体の分断を、熱源を用いて該外装体を溶融することにより実施する前記＜２５＞に記載のパンツ型使い捨ておむつの製造方法。
＜２７＞
前記熱源を用いた前記外装体の溶融は、該外装体へのレーザー光の照射、該外装体の加熱圧着、又は該外装体への超音波振動の付与により実施される前記＜２６＞に記載のパンツ型使い捨ておむつの製造方法。
＜２８＞
前記＜４＞記載のパンツ型使い捨ておむつを製造する場合において、
前記サイドシール部形成工程における前記外装体の分断及び前記接合部の形成を、５熱源を用いて該外装体を溶融することにより実施し、該接合部の形成により前記おむつの着用時における前記突出部の形成を可能にする前記＜２５＞〜＜２７＞のいずれか１に記載のパンツ型使い捨ておむつの製造方法。
【手続補正３】
【補正対象書類名】明細書
【補正対象項目名】００８８
【補正方法】変更
【補正の内容】
【００８８】
＜２９＞
前記＜６＞記載のパンツ型使い捨ておむつを製造する場合において、
前記重合加圧工程において前記外装体の前身頃側と後身頃側とを重ね合わせるときに、該外装体の長手方向に沿う両端縁どうしを一致させずに意図的にずらす前記＜２５＞〜＜２８＞のいずれか１に記載のパンツ型使い捨ておむつの製造方法。
＜３０＞
前記外装体の長手方向に沿う両端縁どうしの意図的なずらしは、前記おむつを縦方向に二分する仮想中心線ＣＬを境にして、前記前身頃と前記後身頃とで縦方向の長さが等しい場合に、該仮想中心線ＣＬと平行な別の直線を折曲線として、帯状の該外装体を該折曲線にて折り畳むことによってなされる前記＜２９＞に記載のパンツ型使い捨ておむつの製造方法。
＜３１＞
前記外装体の長手方向に沿う両端縁どうしの意図的なずらしは、前記おむつにおいて腹側部と背側部とで縦方向の長さを異ならせておき、該おむつの股下部を該縦方向に二分する仮想中心線ＣＬ’を折曲線として、帯状の該外装体を該折曲線（仮想中心線ＣＬ’）にて折り畳むことによってなされる前記＜２９＞に記載のパンツ型使い捨ておむつの製造方法。
【手続補正４】
【補正対象書類名】明細書
【補正対象項目名】００８９
【補正方法】変更
【補正の内容】
【００８９】
＜３２＞
前記＜１０＞記載のパンツ型使い捨ておむつを製造する場合において、
前記重合加圧工程において前記外装体の前身頃側と後身頃側とを重ね合わせる前に、該外装体の所定箇所にエンボス加工又は印刷により前記マークを形成する前記＜２５＞〜＜３１＞のいずれか１に記載のパンツ型使い捨ておむつの製造方法。
＜３３＞
前記外装体を形成するのに用いられる一対のニップロールよりも搬送方向の下流側に配置された、エンボスロールとこれを受けるアンビルロールとを用い、両ロール間に、一対の該ニップロールを通過した帯状の外装体を導入し、該外装体に、該外装体を構成するシート（外層シート及び内層シート）どうしの接合部を形成すると共に、その前記サイドシール部の形成予定部分（分断予定部分）の近傍に、前記マークを形成する前記＜３２＞に記載のパンツ型使い捨ておむつの製造方法。